(57)【要約】【課題】天板１のバーナ用開口１１の周縁部上面に、バーナ用開口１１の周縁とバーナとの間の隙間を覆うように、環状のパッキン５を介して載置される環状のバーナリング４と、天板１の下面に、バーナ用開口１１の周縁部をバーナリング４との間で上下から狭圧するように配置される下リング６とを備えるガスコンロであって、バーナリング４が、外周縁部下端の天板当接部４２と、天板当接部４２よりも径方向内方部分で上方に窪む、パッキン５が収納される凹部４３とを有するものにおいて、パッキン５の一部が天板当接部４２と天板１との間に入り込んで、バーナリング４が浮くことを防止する。【解決手段】バーナリング４に、凹部４３の外周壁部４３ａから径方向内方に突出してパッキン５の外周面に当接する位置決め部４５を設ける。位置決め部４５の径方向内方端寄りの部分の下面は、天板当接部４２よりも上方に位置させる。【選択図】図４
2019168195.tif 000002
【特許請求の範囲】
【請求項１】
天板に開設したバーナ用開口を通して天板上に露出するコンロバーナを備えるガスコンロであって、天板のバーナ用開口の周縁部上面に、バーナ用開口の周縁とコンロバーナのバーナ用開口に挿通される部分との間の隙間を覆うように、環状のパッキンを介して載置される環状のバーナリングと、天板の下面に、天板のバーナ用開口の周縁部をバーナリングとの間で上下から狭圧するように配置される下リングとを備えるものにおいて、
バーナリングは、天板の上面に当接する外周縁部下端の天板当接部と、天板当接部よりも径方向内方部分で上方に窪む、パッキンが収納される凹部と、凹部の外周壁部から径方向内方に突出してパッキンの外周面に当接する位置決め部とを有し、位置決め部の径方向内方端寄りの部分の下面は、天板当接部よりも上方に位置することを特徴とするガスコンロ。
【請求項２】
請求項１記載のガスコンロであって、前記天板上に、前記バーナリングを囲う環状の五徳枠を有する五徳が載置され、バーナリングの外周縁部の周方向複数個所に、五徳枠から径方向内方に突出する周方向複数個所の突起部が係合する径方向内方に凹入した凹入部が設けられるものにおいて、前記凹部の外周壁部の各凹入部の周方向両側に位置する部分から径方向内方に突出するように前記位置決め部が設けられ、位置決め部の径方向内方端は、凹入部の径方向内方端よりも径方向内方に位置することを特徴とするガスコンロ。
【請求項３】
請求項１記載のガスコンロであって、前記天板上に、前記バーナリングを囲う環状の五徳枠を有する五徳が載置され、バーナリングの外周縁部の周方向複数個所に、五徳枠から径方向内方に突出する周方向複数個所の突起部が係合する径方向内方に凹入した凹入部が設けられるものにおいて、前記凹部の外周壁部の各凹入部に合致する部分から径方向内方に突出するように前記位置決め部が設けられることを特徴とするガスコンロ。
【請求項４】
前記パッキンの外周面に環状の溝が形成され、前記位置決め部の径方向内方端は、パッキンの外周面の溝に係合するように形成されることを特徴とする請求項１〜３の何れか１項記載のガスコンロ。
【発明の詳細な説明】
【技術分野】
【０００１】
本発明は、天板に開設したバーナ用開口を通して天板上に露出するコンロバーナを備えるガスコンロに関する。
【背景技術】
【０００２】
従来、この種のガスコンロとして、天板のバーナ用開口の周縁部上面に、バーナ用開口の周縁とコンロバーナのバーナ用開口に挿通される部分との間の隙間を覆うように、環状のパッキンを介して載置される環状のバーナリングと、天板の下面に、天板のバーナ用開口の周縁部をバーナリングとの間で上下から狭圧するように配置される下リングとを備えるものが知られている(例えば、特許文献１参照)。このもので、バーナリングは、天板の上面に当接する外周縁部下端の天板当接部と、天板当接部よりも径方向内方部分で上方に窪む凹部とを有しており、この凹部にパッキンが収納されるようにしている。
【０００３】
然し、上記従来例のものでは、パッキンの位置ずれで、パッキンの一部がバーナリングの天板当接部と天板との間に入り込み、バーナリングが天板上に浮いた状態で装着されてしまうことがある。この場合、バーナリングがコンロバーナの炎孔に近づいて、炎孔に形成される火炎からの熱を受けやすくなり、バーナリング上面の塗装劣化が促進されたり、バーナリングへの煮こぼれ汁の焦げ付きが促進される等の不具合が発生する。
【先行技術文献】
【特許文献】
【０００４】
【特許文献１】特開２００８−２４９１７８号公報（図５）
【発明の概要】
【発明が解決しようとする課題】
【０００５】
本発明は、以上の点に鑑み、バーナリングが天板上に浮いた状態で装着されることを防止できるようにしたガスコンロを提供することをその課題としている。
【課題を解決するための手段】
【０００６】
上記課題を解決するために、本発明は、コンロ本体と、コンロ本体の上面を覆う天板と、天板に開設したバーナ用開口を通して天板上に露出するコンロバーナとを備えるガスコンロであって、天板のバーナ用開口の周縁部上面に、バーナ用開口の周縁とコンロバーナのバーナ用開口に挿通される部分との間の隙間を覆うように、環状のパッキンを介して載置される環状のバーナリングと、天板の下面に、天板のバーナ用開口の周縁部をバーナリングとの間で上下から狭圧するように配置される下リングとを備えるものにおいて、バーナリングは、天板の上面に当接する外周縁部下端の天板当接部と、天板当接部よりも径方向内方部分で上方に窪む、パッキンが収納される凹部と、凹部の外周壁部から径方向内方に突出してパッキンの外周面に当接する位置決め部とを有し、位置決め部の径方向内方端寄りの部分の下面は、天板当接部よりも上方に位置することを特徴とする。
【０００７】
本発明によれば、パッキンの外周面に位置決め部が当接することにより、パッキンがバーナリングの天板当接部から径方向内方に離れた状態で位置決めされる。そのため、天板当接部と天板との間にパッキンの一部が入り込むことを防止できる。但し、位置決め部の下面が天板に接していると、パッキンの圧縮で径方向外方に張り出そうとするパッキンの部分が位置決め部の下面と天板との間に食い込んで、バーナリングが押し上げられてしまうことがある。これに対し、本発明では、位置決め部の径方向内方端寄りの部分の下面が天板当接部よりも上方に位置するため、位置決め部の径方向内方端寄りの部分の下面と天板との間に、パッキンの圧縮で径方向外方に張り出すパッキン下部の張り出し部を受け入れる空隙が確保される。その結果、パッキン下部の張り出し部によってバーナリングが強く押し上げられることはなく、天板当接部と天板との間にパッキンの一部が入り込むことを防止できることと相俟って、バーナリングが天板上に浮いた状態で装着されることを防止できる。
【０００８】
ところで、ガスコンロでは、一般的に、天板上に、バーナリングを囲う環状の五徳枠を有する五徳を載置し、バーナリングの外周縁部の周方向複数個所に、五徳枠から径方向内方に突出する周方向複数個所の突起部が係合する径方向内方に凹入した凹入部を設けて、五徳を所定位相で位置決めできるようにしている。このものでは、凹入部がパッキンに近づいて、凹入部の径方向内方端と天板との間にパッキンが入り込みやすくなる。
【０００９】
そのため、上記凹部の外周壁部の各凹入部の周方向両側に位置する部分から径方向内方に突出するように上記位置決め部を設け、位置決め部の径方向内方端を、凹入部の径方向内方端よりも径方向内方に位置させるか、または、凹部の外周壁部の各凹入部に合致する部分から径方向内方に突出するように位置決め部を設けることが望ましい。これによれば、凹入部の近傍で、凹入部の径方向内方端よりも径方向内方に位置するようにパッキンを位置決めでき、凹入部の径方向内方端と天板との間にパッキンが入り込むことを確実に防止できる。
【００１０】
また、本発明においては、パッキンの外周面に環状の溝が形成され、位置決め部の径方向内方端は、パッキンの外周面の溝に係合するように形成されることが望ましい。これによれば、バーナリングをその上面が下を向く反転姿勢にした状態で凹部へのパッキンのセット作業を行う際に、パッキンの溝に位置決め部の径方向内方端を係合させることにより、バーナリングをその上面が上方を向く正規姿勢にしてもパッキンが脱落せず、組付け作業性が向上する。
【図面の簡単な説明】
【００１１】
【図１】本発明の実施形態のガスコンロの要部の斜視図。
【図２】図１のＩＩ−ＩＩ線で切断した切断側面図。
【図３】実施形態のガスコンロに設けられたバーナリング、パッキン及び下リングの分離状態の斜め下方から見た斜視図。
【図４】図３のＩＶ−ＩＶ線で切断した組み立て状態の拡大断面図。
【図５】他の実施形態のバーナリング及びパッキンの斜め下方から見た斜視図。
【図６】図５のＶＩ−ＶＩ線で切断した組み立て状態の拡大断面図。
【発明を実施するための形態】
【００１２】
図１、図２を参照して、１は、本発明の実施形態のガスコンロに設けられる天板を示している。天板１は、ガラス製の天板本体１ａと、天板本体１ａの下面に取り付けた板金製の裏板１ｂとで構成されている。また、ガスコンロは、天板１に開設したバーナ用開口１１を通して天板１上に露出するコンロバーナ２と、天板１上にバーナ用開口１１を囲うようにして載置される五徳３とを備えている。
【００１３】
コンロバーナ２は、混合管２１と、混合管２１の下流端から上方に立ち上がってバーナ用開口１１に挿通される内外２重の筒状のバーナボディ２２と、バーナボディ２２上に載置される環状のバーナヘッド２３とを備えており、混合管２１で生成された混合気（燃料ガスと一次空気の混合ガス）がバーナヘッド２３の外周部に形成した多数の炎孔２４から噴出して燃焼する。また、各コンロバーナ２には、五徳３に載置する調理容器の底面に当接する鍋底温度センサ２５と、点火電極２６と、火炎検知素子たる熱電対２７とが付設されている。
【００１４】
天板１の各バーナ用開口１１の周縁部上面には、バーナ用開口１１の周縁とコンロバーナ２のバーナ用開口１１に挿通される部分であるバーナボディ２２との間の隙間を覆うように環状のバーナリング４が環状のパッキン５を介して載置されている。また、天板１の下面には、天板１のバーナ用開口１１の周縁部をバーナリング４との間で上下から狭圧するように下リング６が配置されている。
【００１５】
図３、図４を参照して、バーナリング４の内周縁の周方向複数個所には、下方にのびる垂下片部４１が設けられ、下リング６の内周縁の周方向複数個所には、上方にのびる起立片部６１が設けられている。垂下片部４１には、係合孔４１ａが形成され、起立片部６１には、径方向内方に張り出す凸部６１ａが形成されており、係合孔４１ａに径方向外方から凸部６１ａを係合させることで、バーナリング４と下リング６が連結される。また、下リング６の複数個所には、斜め上方に傾斜した板バネ部６２が設けられている。そして、バーナリング４と下リング６を上記の如く連結した状態では、板バネ部６２が天板１の下面に圧接して撓み、板バネ部６２の撓み反力によりバーナリング４が下リング６を介して下方に引っ張られ、天板１のバーナ用開口１１の周縁部がバーナリング４と下リング６とで上下から狭圧されて、パッキン５が圧縮される。
【００１６】
バーナリング４は、天板１の上面に当接する外周縁部下端の天板当接部４２と、天板当接部４２よりも径方向内方部分で上方に窪む、パッキン５が収納される凹部４３を有している。本実施形態では、バーナリング４が板金製であって、天板当接部４２から径方向内方に折返した折返し部を有しており、この折返し部が凹部４３の外周壁部４３ａとなっている。
【００１７】
五徳３は、バーナリング４を囲う環状の五徳枠３１と、五徳枠３１に放射状に固定された複数の五徳爪３２とを有している。また、五徳枠３１から径方向内方に突出する周方向２箇所の突起部３３が当該箇所の五徳爪３２と一体に形成されている。また、バーナリング４の外周縁部の周方向２箇所に、径方向内方に凹入した凹入部４４が設けられている。そして、五徳３の突起部３３をバーナリング４の凹入部４４に係合させることで、五徳３を所定の正規位相に位置決めできるようにしている。尚、五徳３が正規位相であれば、バーナヘッド２３の大きな炎孔２４が存在しない部分と同一方位に五徳爪３２が存在して、大きな炎孔２４に形成される火炎が五徳爪３２に触れない。
【００１８】
ところで、パッキン５の位置ずれで、パッキン５の一部がバーナリング４の天板当接部４２と天板１との間に入り込んでしまうことがある。この場合、バーナリング４が天板１上に浮いた状態で装着され、バーナリング４がコンロバーナ２の炎孔２４に近づいて、炎孔２４に形成される火炎からの熱を受けやすくなり、バーナリング４の上面の塗装劣化が促進されたり、バーナリング４への煮こぼれ汁の焦げ付きが促進される等の不具合が発生する。
【００１９】
そこで、バーナリング４に、凹部４３の外周壁部４３ａから径方向内方に突出してパッキン５の外周面に当接する位置決め部４５を設けている。これによれば、パッキン５がバーナリング４の天板当接部４２から径方向内方に離れた状態で位置決めされる。そのため、天板当接部４２と天板１との間にパッキン５の一部が入り込むことを防止できる。但し、位置決め部４５の下面が天板１に接していると、パッキン５の圧縮で径方向外方に張り出そうとするパッキン５の部分が位置決め部４５の下面と天板１との間に食い込んで、バーナリング４が押し上げられてしまうことがある。そこで、位置決め部４５の少なくとも径方向内方端寄りの部分の下面を、天板当接部４２よりも上方に位置させている。そのため、位置決め部４５の径方向内方端寄りの部分の下面と天板１との間に、パッキン５の圧縮で径方向外方に張り出すパッキン下部の張り出し部５ａを受け入れる空隙が確保される。その結果、パッキン下部の張り出し部５ａによってバーナリング４が強く押し上げられることはなく、天板当接部４２と天板１との間にパッキン５の一部が入り込むことを防止できることと相俟って、バーナリング４が天板１上に浮いた状態で装着されることを防止できる。
【００２０】
ここで、位置決め部４５を凹部４３の外周壁部４３ａの全周に亘って設けることも可能である。但し、バーナリング４に上記の如く凹入部４４を設けると、凹入部４４がパッキン５に近づいて、凹入部４４の径方向内方端と天板１との間にパッキンが入り込みやすくなる。そこで、本実施形態では、凹部４３の外周壁部４３ａの各凹入部４４の周方向両側に位置する部分から径方向内方に突出する舌片状の位置決め部４５を設けている。位置決め部４５の径方向内方端は、凹入部４４の径方向内方端よりも径方向内方に位置している。これによれば、凹入部４４の近傍で、凹入部４４の径方向内方端よりも径方向内方に位置するようにパッキン５を位置決めでき、凹入部４４の径方向内方端と天板１との間にパッキン５が入り込むことを確実に防止できる。
【００２１】
また、図５、図６に示す実施形態の如く、凹部４３の外周壁部４３ａの凹入部４４に合致する部分から径方向内方に突出するように位置決め部４５を設けてもよい。このものでも、凹入部４４の近傍で、凹入部４４の径方向内方端よりも径方向内方に位置するようにパッキン５を位置決めでき、凹入部４４の径方向内方端と天板１との間にパッキン５が入り込むことを確実に防止できる。
【００２２】
また、上記実施形態では、パッキン５の外周面と内周面に環状の溝５１が形成されている。そして、位置決め部４５の径方向内方端を、パッキン５の外周面の溝５１に係合するように形成している。これによれば、バーナリング４をその上面が下を向く反転姿勢にした状態で凹部４３へのパッキン５のセット作業を行う際に、パッキン５の外周面の溝５１に位置決め部４５の径方向内方端を係合させることにより、バーナリング４をその上面が上方を向く正規姿勢にしてもパッキン５が脱落せず、組付け作業性が向上する。
【００２３】
以上、本発明の実施形態について図面を参照して説明したが、本発明はこれに限定されない。例えば、上記実施形態では、バーナリング４を板金製としているが、これを鋳造品や鍛造品とすることも可能である。この場合、位置決め部４５を、舌片状ではなく、凹部４３の上面に達するリブ状に形成してもよい。
【符号の説明】
【００２４】
１…天板、１１…バーナ用開口、２…コンロバーナ、３…五徳、３１…五徳枠、３３…突起部、４…バーナリング、４２…天板当接部、４３…凹部、４３ａ…凹部の外周壁部、４４…凹入部、４５…位置決め部、５…パッキン、５１…溝、６…下リング。
【図１】
2019168195.tif 000003
【図２】
2019168195.tif 000004
【図３】
2019168195.tif 000005
【図４】
2019168195.tif 000006
【図５】
2019168195.tif 000007
【図６】
2019168195.tif 000008